(57)【要約】【課題】  基板ケースの強度を高めると共に、基板ケース内に収納された制御基板に対しての不正行為を防止することができる基板ケースの取り付け構造を提供する。【解決手段】  基板ケース１２は、上側ケース１５と下側ケース１６とから構成され、両ケースは係合爪によって結合されており、基板ケース１２内には制御基板が収納されている。上側ケース１５の周縁部には段差部２８が形成されている。ケース取付部１３に挿入された基板ケース１２は、下側ケース１６が背後側から下側ケース覆部３３によって覆われ、上側ケース１５の周縁部に形成された段差部２８が天井面２９側から上側ケース覆部３４によって覆われ、挿入方向へ延びる側面が上下ケース側面覆部３５によって覆われ、基板ケース１２に設けられたケース固定部がケース取付部１３に設けられたケース固定部２７ｂに固定されることによってケース取付部内に取り付けられる。【選択図】    図９
2005046360.tif 000002
【特許請求の範囲】
【請求項１】
パチスロ機あるいはパチンコ機の内部に固定されたケース取付部内に、略矩形状の透明な合成樹脂からなり、電子部品の実装された制御基板を該制御基板の両側から覆うことによって収納する基板ケースを、スライド挿入させて取り付ける基板ケースの取り付け構造において、
前記基板ケースは、前記制御基板を前記電子部品が実装されている側から覆う上側ケースと、その反対側から前記制御基板を覆う下側ケースとから構成され、
前記上側ケースと前記下側ケースとは、それぞれに設けられた係合部材である爪部材によって結合され、
前記上側ケースの周縁部には、段差部が設けられ、
前記下側ケースには、前記スライド挿入される基板ケースの挿入方向への移動を所定の位置で固定するためのケース固定部が形成され、
前記ケース取付部には、前記スライド挿入された基板ケースの下側ケースを背後側から覆う下側ケース覆部と、上側ケースの周縁部に形成された段差部を前面側から覆う上側ケース覆部と、上側ケースと下側ケースとが当接する側面であり、基板ケースの挿入方向へ延びる側面を覆う上下ケース側面覆部と、前記挿入方向への基板ケースの移動を所定の位置で固定するためのケース固定部が形成され、
前記スライド挿入された基板ケースは、前記各覆部によって覆われると共に、前記基板ケースに形成されたケース固定部が前記ケース取付部に形成されたケース取付部に固定されることによって前記ケース取付部に取り付けられることを特徴とする基板ケースの取り付け構造。
【請求項２】
前記上側ケース覆部は、少なくとも前記スライド挿入される基板ケースの挿入方向へ延びる側面側に設けられた上側ケースの段差部を覆うように形成されていることを特徴とする請求項１に記載の基板ケースの取り付け構造。
【請求項３】
前記基板ケース内に収納された制御基板の、前記電子部品が実装されている側の面は、前記上側ケースの天井面を透して認識できる構成を有していることを特徴とする請求項１または２に記載の基板ケースの取り付け構造。
【請求項４】
前記ケース固定部は、前記ケース取付部の下側ケース覆部にケース取付部から下側ケース覆部方向の外部へ突出する状態で設けられ、前記基板ケースが挿入されることによって、前記基板ケースの下側ケースに基板ケースから下側ケース方向の外部へ突出する状態で設けられたケース固定部と当接し、固定部材によって前記両固定部は結合され、前記基板ケースの挿入方向への基板ケースの移動が所定の位置で固定されることを特徴とする請求項１から３のいずれかに記載の基板ケースの取り付け構造。
【発明の詳細な説明】
【技術分野】
【０００１】
本発明は、パチスロ機、パチンコ機に用いられている遊技制御基板の基板ケースの取り付け構造に関するものである。
【背景技術】
【０００２】
従来の基板ケースの例としては、開閉自在に結合された複数個のケース体を備えたものがある（特許文献１参照）。特許文献１において基板ケースは、ケース本体と中間ケース体とケース蓋体とから構成され、その内部には制御基板を収納している。ケース本体と中間ケース体とは係合手段によって結合され、中間ケース体とケース蓋体とは係合手段によって結合されている。そして、左右一対の係止爪等を介して裏カバーに着脱自在に装着されている。
また、基板ケースの取り付け構造についての従来例としては、係合摺動部を有した基板ボックスが摺動案内部に係合しスライドして取り付けられるものがある（特許文献２）。この取り付け構造は、取付枠と規制部材によって形成されたレール受用隙間に、基板ボックスのフランジが差し込まれ、基板ボックスは取付枠に取付けられる。そして、取付枠は、取付部材を介して遊技盤の裏側に取付けられる。
【０００３】
【特許文献１】特公平２９０５７７３号公報
【特許文献２】特公平２６５２７８３号公報
【発明の開示】
【発明が解決しようとする課題】
【０００４】
しかしながら、特許文献１の発明では、制御基板上に背丈の高い部品が配設されると、それに伴って中間ケース体のケースの高さを高く構成することが必要となり、これにより中間ケース体の側面方向からの圧力に対する強度が弱くなるという不具合が生じる。
特許文献２の発明では、レール受用隙間に差し込まれる基板ボックスのフランジ部が、薄板状に形成されているため、遊技機の搬送時等においてフランジ部が破損する虞が高いという問題を有している。また、第三者が故意に破損させて基板ボックス内に収納されている回路基板を不正に操作することが容易であるという問題もあった。さらに、特許文献２の発明では、取付枠と規制部材によって形成されたレール受用隙間に基板ボックスの薄板状のフランジ部を差し込みスライドさせる構造を有するため、スライド部の成形に際し精度を必要とし、製造コストを増加させる要因となっていた。
【０００５】
そこで、このような事情に鑑みてなされたものであり、基板ケースの強度を高めると共に、基板ケース内に収納された制御基板に対しての不正行為を防止することができる基板ケースの取り付け構造の提供を目的とするものである。
【課題を解決するための手段】
【０００６】
上記課題を解決するために、請求項１記載に係る基板ケースの取り付け構造の発明は、パチスロ機あるいはパチンコ機の内部に固定されたケース取付部内に、略矩形状の透明な合成樹脂からなり、電子部品の実装された制御基板を該制御基板の両側から覆うことによって収納する基板ケースを、スライド挿入させて取り付ける基板ケースの取り付け構造において、前記基板ケースは、前記制御基板を前記電子部品が実装されている側から覆う上側ケースと、その反対側から前記制御基板を覆う下側ケースとから構成され、前記上側ケースと前記下側ケースとは、それぞれに設けられた係合部材である爪部材によって結合され、前記上側ケースの周縁部には、段差部が設けられ、前記下側ケースには、前記スライド挿入される基板ケースの挿入方向への移動を所定の位置で固定するためのケース固定部が形成され、前記ケース取付部には、前記スライド挿入された基板ケースの下側ケースを背後側から覆う下側ケース覆部と、上側ケースの周縁部に形成された段差部を前面側から覆う上側ケース覆部と、上側ケースと下側ケースとが当接する側面であり、基板ケースの挿入方向へ延びる側面を覆う上下ケース側面覆部と、前記挿入方向への基板ケースの移動を所定の位置で固定するためのケース固定部が形成され、前記スライド挿入された基板ケースは、前記各覆部によって覆われると共に、前記基板ケースに形成されたケース固定部が前記ケース取付部に形成されたケース取付部に固定されることによって前記ケース取付部に取り付けられることを特徴とするものである。
【０００７】
制御基板に電子部品等が実装されている面上を覆う上側ケースの周縁部に段差部を設けることにより、基板ケースの側面方向からの圧力に対する強度の向上を図る。ケース覆部によって基板ケースを背後側および前面側から覆うと共に、ケース固定部によって基板ケースをケース取付部に取り付け固定することで、基板ケース内に収納された制御基板に対する不正行為を防止する。
【０００８】
上記課題を解決するために、請求項２記載に係る基板ケースの取り付け構造の発明は、請求項１の発明において、前記上側ケース覆部は、少なくとも前記スライド挿入される基板ケースの挿入方向へ延びる側面側に設けられた上側ケースの段差部を覆うように形成されていることを特徴とするものである。上側ケースの段差部を覆う覆部を必要個数だけ形成することで、ケース取付部内に挿入される基板ケースを確実に収納する。
【０００９】
上記課題を解決するために、請求項３記載に係る基板ケースの取り付け構造の発明は、請求項１または２に記載の発明において、前記基板ケース内に収納された制御基板の、前記電子部品が実装されている側の面は、前記上側ケースの天井面を透して認識できる構成を有していることを特徴とするものである。
【００１０】
上記課題を解決するために、請求項４記載に係る基板ケースの取り付け構造の発明は、請求項１から３のいずれかに記載の発明において、前記ケース固定部は、前記ケース取付部の下側ケース覆部にケース取付部から下側ケース覆部方向の外部へ突出する状態で設けられ、前記基板ケースが挿入されることによって、前記基板ケースの下側ケースに基板ケースから下側ケース方向の外部へ突出する状態で設けられたケース固定部と当接し、固定部材によって前記両固定部は結合され、前記基板ケースの挿入方向への基板ケースの移動が所定の位置で固定されることを特徴とするものである。
【発明の効果】
【００１１】
本発明に係る請求項１の基板ケースの取り付け構造によれば、電子部品等が実装されている側の、制御基板の面上を覆う上側ケースの周縁部に段差部を設けることにより、電子部品等の背の高さに伴なって上側ケースの背が高くなった場合においても、基板ケースの側面方向からの圧力に対する強度を向上させることができる。ケース覆部によって基板ケースを背後側および前面側から覆うと共に、ケース固定部によって基板ケースをケース取付部に取り付け固定することで、上側ケースと下側ケースとを結合している上側ケースに設けられた係合部材、および下側ケースに設けられた係合部材が破損した場合でも、基板ケースが開放状態とならず、基板ケース内に収納された制御基板に対する不正行為を防止することができる。
【００１２】
本発明に係る請求項２の基板ケースの取り付け構造によればさらに、上側ケースの段差部を覆う覆部を必要個数だけ形成することにより、ケース取付部内に挿入される基板ケースを形成された覆部によってその挿入方向へ正確に誘導することができ、ケース取付部に確実に収納することができると共に、ケース取付部自体の軽量化を図ることができる。
【００１３】
本発明に係る請求項３の基板ケースの取り付け構造によればさらに、基板ケース内に収納された制御基板面上の実装部品等を外部から上側ケースの天井面を透して容易に認識できるようにすることで、制御基板に対して行われた不正行為を容易に発見することができると共に、不正行為自体を抑制することができる。
【００１４】
本発明に係る請求項４の基板ケースの取り付け構造によればさらに、基板ケースを挿入することによって、基板ケースの下側ケースに設けられたケース固定部とケース取付部に設けられたケース固定部とが当接し、その両固定部を固定する構成を有するので、ケース取付部に対する基板ケースの取付が容易であり、組立作業の効率を向上させることができる。
【発明を実施するための最良の形態】
【００１５】
以下、本発明に係る基板ケースの取り付け構造の実施の形態を添付図面に基づいて説明する。
図１は、本発明に係る基板ケースが取り付けられているパチスロ機の分解斜視図である。図１に示すように、パチスロ機は、筐体の外枠１と、図柄表示リール１１、基板ケース１２等を収納する収納枠２と、外枠１に取り付けられる前枠３とから概略構成されている。収納枠２は、矢印Ｘで示されるように外枠１の上部内に取り付け収納される。また、外枠１の下部内にはパチスロ遊技に使用されるメダルの払い出し装置５が収納される（図１では、既にメダル払い出し装置が収納された状態を示している）。前枠３は、外枠１に設けられている係合部４ａ、４ｂ、および外枠１内に取り付けられた収納枠２に設けられている係合部４ｃ、４ｄを介して一方の側辺側が外枠１に取り付けられ、その係合部を中心として他方の側辺側が開閉自在に取り付けられる。
【００１６】
前枠３には表示窓６が設けられており、前枠３を閉じた状態のとき収納枠２に収納された図柄表示リール１１の図柄７がこの表示窓６内に表示されるように設けられている。図柄表示リール１１には、その外周面に複数種の図柄が描かれており、前枠３に設けられたメダル投入口８へメダルを投入し、図柄変動開始手段であるスタートレバー９を操作することで図柄表示リール１１が変動表示動作を開始する。そして、変動表示中の図柄を停止表示させる図柄停止手段としてのストップボタン１０を押し操作することで図柄表示リール１１の変動表示動作が停止し、前記複数種の図柄の中から抽選によって選択された図柄が表示窓６に停止表示される。
【００１７】
図２に、図柄表示リール１１、基板ケース１２等を収納する収納枠２を示す。尚、図２の収納枠２は、収納枠２内に基板ケース１２のみを収納した状態を示している。基板ケース１２は、ケース取付部１３内にスライド挿入されている。そして、このケース取付部１３が収納枠２内に、例えば、ネジ止め１４によって固定されることにより、基板ケース１２はケース取付部１３に挿入された状態で収納枠２内に収納されている。本発明は、この基板ケース１２の取り付け構造に係るものである。
【００１８】
図３から図５、及び図７は、収納枠２内に収納される、即ち、ケース取付部１３内にスライド挿入される基板ケース１２の一形態を示す。基板ケース１２は、概略矩形状を有し、上側ケース１５と下側ケース１６とから構成されている。上側ケース１５と下側ケース１６は、それぞれ図４と図５に示されるような形状を有しており、パチスロ遊技を制御するための電子部品、基板間を接続するためのコネクタ等が実装されている制御基板をその両側から覆うように、両ケース１５と１６とが向かい合って配置される。
【００１９】
図６に、上側ケース１５と下側ケース１６によって覆われる制御基板１７、即ち、基板ケース１２内に収納される制御基板１７を示す。この形態では、制御基板１７として基板の一側面側にのみ電子部品あるいはコネクタ等が実装される片側実装基板が用いられている。以下、電子部品、コネクタ等が実装されている側の面を制御基板１７の表側面１８、実装されていない側の面を制御基板１７の裏側面１９という。但し、図７においては、制御基板１７の表側面１８にコネクタ２０ａ〜２０ｄと可変ボリューム２１のみが実装され、その他の電子部品の実装は省略された状態の制御基板１７が表されている。
【００２０】
制御基板１７は下側ケース１６に設けられた固定手段、例えば、固定爪によって下側ケース１６に取り付けられ、制御基板１７の表側面１８は上側ケース１５によって覆われ、裏側面１９は下側ケース１６によって覆われている。上側ケース１５と下側ケース１６とは、上側ケース１５に設けられた結合部材、例えば、爪２２ａ、２２ｂが、下側ケース１６に設けられた（図示省略）係合穴に係合し、上側ケース１５に設けられた結合部材、例えば、爪２３ａ、２３ｂが、下側ケース１６に設けられた係合穴２４ａ、２４ｂに係合することにより結合される。
【００２１】
上側ケース１５および下側ケース１６の側面には、制御基板１７に実装されたコネクタ２０ａ〜２０ｄおよび可変ボリューム２１の位置に対応して切り欠き部２５、２６が形成されている。これにより上側ケース１５と下側ケース１６とを組み合わせたとき、下側ケース１６に取り付けられた制御基板１７のコネクタ２０ａ〜２０ｄおよび可変ボリューム２１が、この切り欠き部２５、２６から上側ケース１５および下側ケース１６の外部に突出した状態となる。従って、コネクタ２０ａ〜２０ｄの抜き差しおよび可変ボリューム２１の調節を容易に行うことが可能となる。また、下側ケース１６には、基板ケース１７をケース取付部１３内にスライド挿入させたとき、その挿入方向およびその逆方向である取り出し方向への基板ケース１７の移動を所定の位置に固定するためのケース固定部２７ａが、下側ケース１６の底面３１方向へ向い底面３１から飛び出して形成されている（さらに後述する）。
【００２２】
図７は、基板ケース１２を上側ケース１５方向から見たとき、即ち、図３において左方向から見たときの図である。上側ケース１５の周縁部には段差部２８が形成されている。また、図４、図７に示すように、上側ケース１５の天井面２９には、ケース内の温度上昇を抑制するための通気孔３０が形成されている。
図７に示す実施の形態では、さらに具体的にいうと、図において上側ケース１５の対向する縦方向のそれぞれの側辺全体に段差部２８ａおよび段差部２８ｂが形成されている。また、図において上側ケース１５の対向する横方向の側辺のうち、下側に位置する側辺全体には段差部２８ｃが形成され、上側に位置する側辺には中央部分を除いた両端部分に段差部２８ｄおよび２８ｅが形成されている。段差部の形成されていない上側側辺の中央部分には、制御基板１７に実装されているコネクタ２０ａ、２０ｂが配置されている。即ち、段差部２８ｄ、２８ｅは、制御基板１７に実装されているコネクタ２０ｄ、２０ｅを回避するような位置に形成されている。このように段差部２８をケースの周縁部に設けることにより、ケースが薄板状の透明樹脂から構成されているにもかかわらず、上側ケース１５の側辺方向からの圧力に対する強度を大きく向上させることができる。
【００２３】
ところで、上側ケース１５の高さ、つまり図４に示す上側ケース高さＨは、制御基板１２上に実装される電子部品等の高さに応じて決定される。即ち、実装される電子部品等のうち最も背丈の高いものに対するケース面までの距離の余裕、パチスロ遊技中におけるケース内の温度上昇余裕等を考慮して上側ケース高さＨが決定される。従って、上側ケース１５に形成する段差部２８の上側ケース１５の高さ方向の位置は、上述したように段差部２８を形成することがケースの強度を向上させるものであることから、上側ケース１５の高さＨに応じてケースの強度を最も向上させることができる所定の位置に形成されることが望ましい。そして、その所定の位置とは、上側ケース高さＨであるときには、略１／２Ｈの位置に形成することが望ましい。
【００２４】
図８、図９に、ケース取付部１３とケース取付部１３にスライド挿入される基板ケース１２を示す。基板ケース１２は、図８、図９に示す矢印Ｙ、Ｚ方向へ挿入される。尚、図９は、図８に示すケース取付部１３と基板ケース１２を左方向から、即ち、上側ケース１５方向から見たときのものである。
ケース取付部１３は、下側ケース覆部３３と、上側ケース覆部３４と、ケース上下側面覆部３５と、ケース固定部２７ｂ、２７ｃと、ケース取付部固定部材３６とから構成されている。
【００２５】
下側ケース覆部３３は、スライド挿入される基板ケース１２の下側ケース１６を、下側ケース１６の背後側、即ち、下側ケース１６の底面３１方向から覆う。上側ケース覆部３４は、スライド挿入される基板ケース１２の上側ケース１５の周縁部に形成された段差部２８を、上側ケース１５の前面側、即ち、上側ケース１５の天井面２９方向から覆う。ケース上下側面覆部３５は、上側ケース１５と下側ケース１６とが互いに当接している側面で、基板ケース１２の挿入方向、即ち、矢印Ｙ、Ｚ方向に延びる、上側ケース１５の上側の側面３７と下側ケース１６の上側の側面３８、および上側ケース１５の上側の側面３７に対向する下側の側面と下側ケース１６の上側の側面３８に対向する下側の側面とを、基板ケース１２の上下方向から覆う。
【００２６】
上側ケース覆部３４は、上側ケース１５の周縁部の段差部２８を覆う構成を有するため、基板ケース１２がケース取付部１３にスライド挿入される際に、段差部２８よりも高い部分、即ち、上側ケース１５の天井面２９が形成されている部分の挿入を妨げないように形成することが必要である。従って、上側ケース覆部３４は、図９において基板ケース１２の上下側面側（上側ケース１５の上側側面には側面３７と付番してある）に形成されている段差部２８ｃ、２８ｅ、あるいは挿入方向奥の側面側に形成されている段差部２８ｂを覆う位置に形成され、挿入方向手前の側面側に形成されている段差部２８ａを覆う位置には形成されていない。上下側面側に形成された段差部２８ｃ、２８ｅを覆う上側ケース覆部３４は、ケース取付部１３への基板ケース１２の挿入方向に沿って形成されているため、上側ケース１５を覆うと共に、基板ケース１２の挿入を正しい挿入方向へガイドする機能を有している。また、段差部２８ｃ、２８ｅを覆う上側ケース覆部３４は、下側ケース覆部３３と平行するように形成されている。
【００２７】
ケース上下側面覆部３５のうち、基板ケース１２の上側の側面を覆う覆部としては、上側ケース１５の上側側面３７と下側ケース１６の上側側面３８の両側面を覆うように設けられたケース上下側面覆部３５ａと、下側ケース１６の上側側面３８のみを覆うように設けられたケース上下側面覆部３５ｂが形成されている。ケース上下側面覆部３５ｂは、ケース取付部１３に基板ケース１２が挿入されたときに、基板ケース１２の上側の側面側に配設される、基板ケース１２内の制御基板１７に実装されたコネクタ２０ａ、２０ｂを回避するように形成されている。また、基板ケース１２の下側の側面を覆う覆部としては、上側ケース１５および下側ケース１６の両方の下側側面を覆うように設けられたケース上下側面覆部３５ｃが形成されている。ケース上下側面覆部３５ａ、３５ｂ、３５ｃは、いずれも下側ケース覆部３３から鉛直方向へ延びるように形成されている。
【００２８】
ケース固定部２７ｂは、ケース取付部１３に挿入される基板ケース１２の挿入方向およびその逆方向である取り出し方向への移動を、所定の位置に固定するための部材であり、基板ケース１２が挿入されたとき、基板ケース１２の下側ケース１６に形成されているケース固定部２７ａと当接し、固定部材、例えば、ネジによってケース固定部２７ａと結合される。ケース固定部２７ｂは、ケース取付部１３の下側ケース覆部３３に、ケース取付部１３から下側ケース覆部３３方向の外部へ突出する状態で設けられており、基板ケース１２の下側ケース１６に基板ケース１２から下側ケース１６方向の外部へ突出する状態で設けられたケース固定部２７ａと結合される。
【００２９】
これにより基板ケース１２がケース取付部１３に固定され、ケース取付部１３に対する基板ケース１２の挿入方向およびその逆方向である取り出し方向への移動が阻止される。また、ケース固定部２７ａとケース固定部２７ｂとのネジ止めは、挿入される基板ケース１２の挿入手前側から容易に行うことができ、例えば、図２に示されるような収納枠２に収納された状態でも基板ケース１２の交換作業を容易に行うことが可能である。
【００３０】
ケース固定部２７ｃは、ケース取付部１３に挿入される基板ケース１２の挿入方向への移動を阻止するための部材であり、スライド挿入された基板ケース１２の挿入方向奥側の側面を覆う。この形態では、基板ケース１２の位置が、下側ケース１６のケース固定部２７ａとケース取付部１３のケース固定部２７ｂとによって固定される位置と同じ位置になるようにケース固定部２７ｃが形成されている。また、ケース固定部２７ｃには、基板ケース１２の挿入方向奥側の側辺に形成されている段差部２８を覆う上側ケース覆部３４が形成されている。
【００３１】
尚、上述のようにケース固定部２７ａと２７ｂ、ケース固定部２７ｃは、いずれも基板ケース１２を挿入方向の所定の位置に係止するための部材である。そして、本発明に係る基板ケースの取り付け構造としては、基板ケース１２をケース取付部１３に対する挿入方向およびその逆方向である取り出し方向への移動を所定の位置で固定することができればよい。従って、例えば、その機能を有するケース固定部２７ａと２７ｂのみを設け、ケース固定部２７ｃを省略した形態のものであってもよい。また、ケース固定部２７ｃに基板ケース１２の挿入方向およびその逆方向である取り出し方向への移動を所定の位置で固定する機能を持たせ、例えば、ネジ止め構造、爪構造によってケース取付部１３に基板ケース１２を固定させ、ケース固定部２７ａおよび２７ｂを省略した形態であってもよい。
【００３２】
ケース取付部固定部材３６は、ケース取付部１３を収納枠２に取り付けるための部材であり、図２に示されるように、例えば、ネジ止め１４によって、ケース取付部固定部材３６を介してケース取付部１３が収納枠２内に取付・固定される。
【００３３】
図１０、図１１は基板ケース１２が、ケース取付部１３内にスライド挿入されて、固定された状態を示すものである。尚、図１１は、図１０を左側方向から、即ち、基板ケース１２の上側ケース１５側から見たときのものである。
基板ケース１２の上側ケース１５に形成された段差部２８ｃは、ケース取付部１３に形成された上側ケース覆部３４のうち、基板ケースの下側側面を覆うケース上下側面覆部３５ｃから鉛直方向へ延びた上側ケース覆部３４ｃによって覆われている。また、段差部２８ｅは、基板ケースの上側側面を覆うケース上下側面覆部３５ａから鉛直方向へ延びた上側ケース覆部３４ｅによって覆われている。そして、段差部２８ｂは、ケース固定部２７ｃから鉛直方向へ延びた上側ケース覆部３４ｂによって覆われている。そして、挿入された基板ケース１２は、基板ケース１２に形成されたケース固定部２７ａが、ケース取付部１３に形成されたケース固定部２７ｂにネジ止め結合されることによって、ケース取付部１３に固定されている。
【００３４】
このように、下側ケース覆部３３によって下側ケース１６を底面３１方向から覆い、上側ケース覆部３４によって上側ケース１５に設けられた段差部２８を天井面２９方向から覆う構成を有するため、図４、図５、あるいは図１０において示される上側ケース１５に設けられた係合部材としての爪２２ａ、２２ｂ、２３ａ、２３ｂ、あるいは下側ケース１６に設けられた係合部材としての係合穴２４ａ、２４ｂ等（爪２２ａ、２２ｂに係合する穴は図示省略されている）が破損した場合にも、基板ケース１２の上側ケース１５と下側ケース１６とが開放状態にならず、制御基板１７に対する不正行為を防止することができる。また、基板ケース１２の上側ケース１５側は、上側ケース覆部３４によって段差部２８のみが覆われる構成を有するため、基板ケース１２内に収納された制御基板１７の部品実装面側は、上側ケース１５の天井面２９を透して容易に確認することができる。
【図面の簡単な説明】
【００３５】
【図１】本発明に係る基板ケースの取り付け構造の、基板ケースが取り付けられているパチスロ機の分解斜視図である。
【図２】本発明に係る基板ケースの取り付け構造の、基板ケース等が収納される収納枠を示す図である。
【図３】本発明に係る基板ケースの取り付け構造の、ケース取付部内に挿入される基板ケースの一形態を示す図である。
【図４】図３に示す基板ケースを構成する、上側ケースを示す図である。
【図５】図３に示す基板ケースを構成する、下側ケースを示す図である。
【図６】図４および図５に示す、上側ケースと下側ケース内に収納される制御基板の一形態を示す図である。
【図７】図３に示す基板ケースを、上側ケース方向から見た図である。
【図８】本発明に係る基板ケースの取り付け構造の、ケース取付部、およびケース取付部ヘの基板ケースの挿入方向を示す図である。
【図９】図８に示すケース取付部および基板ケースを、上側ケース方向から見た図である。
【図１０】本発明に係る基板ケースの取り付け構造の、基板ケースがケース取付部内に挿入された状態を示す図である。
【図１１】図１０に示すケース取付部内に挿入された基板ケースを、上側ケース方向から見た図である。
【符号の説明】
【００３６】
２    収納枠
１１  図柄表示リール
１２  基板ケース
１３  ケース取付部
１５  上側ケース
１６  下側ケース
２２ａ、２２ｂ、２３ａ、２３ｂ、２４ａ、２４ｂ  係合部材
２７ａ、２７ｂ、２７ｃ  ケース固定部
２８（２８ａ〜２８ｅ）  段差部
３３下側ケース覆部
３４（３４ｂ、３４ｃ、３４ｅ）上側ケース覆部
３５（３５ａ、３５ｂ、３５ｃ）ケース上下側面覆部
【図１】
2005046360.tif 000003
【図２】
2005046360.tif 000004
【図３】
2005046360.tif 000005
【図４】
2005046360.tif 000006
【図５】
2005046360.tif 000007
【図６】
2005046360.tif 000008
【図７】
2005046360.tif 000009
【図８】
2005046360.tif 000010
【図９】
2005046360.tif 000011
【図１０】
2005046360.tif 000012
【図１１】
2005046360.tif 000013